(57)【要約】【課題】形成に係わる手間が少なく、既設のものや施工する現地における対応が容易である自浄性道路標識柱を提供する。【解決手段】光触媒フィルム２が可撓性を有する基材２１を用いて形成されていることで道路標識柱１０の側面のような曲面に対しても容易に貼着ができ、また透明で接着力が強く且つ屋外においても劣化の少ないアクリル系ポリマーをベースポリマーとした接着層２４により反射体１の外面に貼着できることで、光触媒フィルム２は強固に且つ安定して反射体１に貼着される。更に光触媒フィルム２を貼着するのみで反射体１の外側に光触媒含有層２３を設けて自浄性を具備させることができ、形成に係わる手間を少なくできると共に、既設のものや施工する現地においても対応が容易となり得る。【選択図】図３
2004285625.tif 000002
【特許請求の範囲】
【請求項１】
反射体の上に光触媒含有層を形成し該光触媒含有層に紫外光照射することにより光触媒が活性化されてその表面が親水化され、降雨等によって表面に付着した汚染物質が洗浄されるようになされた道路標識柱であって、前記光触媒含有層は、可視光を透過し且つ可撓性を有する基材の一方の面に形成され、他方の面にはアクリル系ポリマーをベースポリマーとした接着層が設けられて光触媒フィルムが形成され、前記接着層により該光触媒フィルムが前記反射体の外面に貼着されていることを特徴とする自浄性道路標識柱。
【請求項２】
光触媒含有層は、シリコーン系塗料により形成された下塗り層を介して基材の一方の面に形成されていることを特徴とする請求項１に記載の滑雪氷性被覆物。
【発明の詳細な説明】
【０００１】
【発明の属する技術分野】
本発明は、道路の車線分離、側縁表示等を目的として設置される柱状の標識体に設けられる反射体について自浄性を備えた道路標識柱に関するものである。
【０００２】
【従来の技術】
従来、道路標識柱においては、夜間においての視認性を高めるために、再帰反射性を有する反射シートを貼着する等で反射体を設けることは周知である。その反射体が車両の踏み付けや道路周辺の汚染物質の付着等により汚染されると再帰反射性が著しく損なわれる恐れがあり、かかる汚染を防止するための発明が開示されてきている。
【０００３】
例えば特許文献１において、車両が接触したときに曲がる中空のポールをもつ可倒式視線誘導標識柱において、ポールが壁を顔料を混入されたポリウレタン系熱可塑性エラストマーからなる内層と内層表面の一部の領域に配置された反射標識体とポリウレタン系熱可塑性エラストマーからなりかつ内層表面の残余の領域に密着する外層とからなっていること、を特徴とする可倒式視線誘導標識柱が開示されている。
【０００４】
また本出願人による特許文献２において、視線誘導をするために車両運転者に視認させる標示面上にシリコーン系塗料による下塗り層が形成され、その上に光触媒としての二酸化チタンを含有する被膜が形成され、該被膜に紫外光を照射することにより二酸化チタンが活性化されてその表面が親水化され、降雨等によって表面に付着した汚染物質が洗浄されるようになされたことを特徴とする自浄式視線誘導標示体が開示されている。
【０００５】
【特許文献１】
特開平８−１５８３１９号公報
【０００６】
【特許文献２】
特開平１１−８１２５５号公報
【０００７】
【発明が解決しようとする課題】
しかしながら、特許文献１に記載の可倒式視線誘導標識柱では、外層を形成するにおいて、予め形成された内層と反射標識体の上に押出成形等により外層を被覆成形する必要があり、手間と材料を要するものであった。またポリウレタン系熱可塑性エラストマーからなる外層が汚染されると、反射標識体そのものが汚染されていなくても外層により光線が妨げられ、再帰反射性が低下するという問題点があった。
【０００８】
また特許文献２に記載の自浄式視線誘導標示体では、表面に付着した汚染物質は光触媒による親水化により容易に洗い流され、また光触媒による酸化作用により分解されることが期待できるが、標示面上に光触媒含有層を形成するにおいて、まず標示面にシリコーン塗料を塗布して硬化させ、更に光触媒微粒子を含有する塗料を塗布するといった作業が必要であり、かかる作業により簡便に光触媒含有層を形成できるとは言い難く、また既設のものや、施工を行う現地において対応するのは困難であった。
【０００９】
本発明は上記の如き課題に鑑みてなされたものであり、形成に係わる手間が少なく、既設のものや施工する現地における対応が容易である自浄性道路標識柱を提供せんとするものである。
【００１０】
【課題を解決するための手段】
上記目的を達成するため、本発明は以下のような構成としている。すなわち、本発明に係わる自浄性道路標識柱は、反射体の上に光触媒含有層を形成し該光触媒含有層に紫外光照射することにより光触媒が活性化されてその表面が親水化され、降雨等によって表面に付着した汚染物質が洗浄されるようになされた道路標識柱であって、前記光触媒含有層は、可視光を透過し且つ可撓性を有する基材の一方の面に形成され、他方の面にはアクリル系ポリマーをベースポリマーとした接着層が設けられて光触媒フィルムが形成され、前記接着層により該光触媒フィルムが前記反射体の外面に貼着されていることを特徴とするものである。
【００１１】
本発明によれば、光触媒フィルムが可撓性を有する基材を用いて形成されていることで道路標識柱の側面のような曲面に対しても容易に貼着ができ、また透明で接着力が強く且つ屋外においても劣化の少ないアクリル系ポリマーをベースポリマーとした接着層により反射体の外面に貼着できることで、光触媒フィルムは強固に且つ安定して反射体に貼着される。更に光触媒フィルムを貼着するのみで反射体に自浄性を具備させることができ、形成に係わる手間を少なくできると共に、既設のものや施工する現地においても対応が容易となり得る。
【００１２】
また前記光触媒含有層は、シリコーン系塗料により形成された下塗り層を介して基材の一方の面に形成されていれば、シロキサン結合により光触媒の活性による強い酸化力に対しても基材が侵されにくくなり、耐候性を向上させることができ好ましい。
【００１３】
【発明の実施の形態】
本発明の実施の形態について、図面に基づき以下に具体的に説明する。
図１は、本発明が適用される道路標識柱を示す正面図である。道路標識柱１０は主としてポール部Ｐ、ベース部Ｂ及びアンカーボルトＡにより構成され、ポール部Ｐは例えばウレタン系やオレフィン系等のエラストマーを用いて形成され、車両の衝突や踏み付け等に対して曲がり、且つ復元するものである。ベース部Ｂは熱可塑性合成樹脂を射出成形等して形成されており、ポール部Ｐとは接着、融着等により一体化されて車両の衝突や踏み付けによりポール部Ｐが脱落しないようになされている。またベース部Ｂには、その周囲を取り囲むように合成樹脂からなるベルトにガラスビーズを埋め込んだガラスビーズ反射体Ｒが巻装されている。ベース部Ｂの下面にはアンカーボルトＡが埋設されて突設され、路面に埋設されたアンカーナットと螺着されることで道路標識柱１０は路面に固定される。
【００１４】
ポール部Ｐの側面上方には三体の反射体１が貼着されている。反射体１はシート状のもので、反射シートとして周知のものであり、基材の一方の面に接着剤層を設け、他方の面にガラスビーズやプリズム等の反射層を設け、その外面に透明な保護層を設けて一体となしたものである。
【００１５】
図２及び図３は、本発明に係わる実施の一形態を示す説明図である。図２において、図１に示す如き道路標識柱１０の反射体１の外面に、基材に光触媒含有層が光触媒フィルム２が貼着される。光触媒フィルム２の上下方向の幅は反射体１の上下方向の幅と同程度となされ、長さは反射体外周の長さより僅かに長くなされている。
【００１６】
図３は、光触媒フィルム２が貼着された図２におけるＡ−Ａ断面図である。イ）において、ポール部Ｐの外周面に反射シートである反射体１が設けられ、更にその外周に光触媒フィルム２が貼着されている。光触媒フィルム２は反射体１の外周より僅かに長くなされていることで、貼着された後に重なり部Ｋが形成されて光触媒フィルム２が剥離しにくくなされている。ロ）は反射体１付近の詳細を示す断面図であるが、反射体１の外周に貼着された光触媒フィルム２は、基材２１の一方の面にアクリル系ポリマーをベースポリマーとした接着層２４が形成され、他方の面にシリコーン系塗料により形成された下塗り層２２が設けられ、更にその外面に光触媒含有層２３が設けられる。
【００１７】
かかる構成により、光触媒フィルム２を貼着するのみで反射体１の外面に光触媒含有層２３を形成でき、道路標識柱１０の反射体１に光触媒による自浄性を容易に具備させることができ、光触媒フィルム２を予め用意しておき、要望に応じて通常の道路標識柱１０の反射体１外周に貼着することで自浄性の道路標識柱を形成することができ、納期への迅速な対応が可能となったり、道路標識柱と光触媒フィルムとを別体で施工する現地に持ち運び、施工する現地において必要な数量だけに対して光触媒フィルムを貼着し、自浄性とする道路標識柱の数量を調整することも可能となる。
【００１８】
基材２１は反射体１への光線の入射及び反射体１からの再帰反射光の出射を妨げない可視光を透過するものであり、且つ円筒状の曲面に対しても貼着が容易となるよう可撓性を有するものであれば特に限定されるものではなく、ポリカーボネート、ポリエチレンテレフタレート、ポリブチレンテレフタレート、ポリエチレン、ポリプロピレン、ポリアミド、ポリウレタン、ポリメタクリレート、アクリル樹脂、ポリ塩化ビニル、ＡＢＳ等の透明或いは半透明の透光性を有する合成樹脂を用いて形成することができる。
【００１９】
下塗り層２２を形成するシリコーン系塗料は特に限定されず公知のものを用いることができるが、基材２１が耐熱性に劣る合成樹脂より形成されるものであるから、反応性（硬化性）が極めて高く、また１００℃付近の比較的低温で硬化し、しかも合成樹脂を侵しにくいアルコール系溶剤にシリコーン系化合物を溶解した、所謂シリコーンハードコート剤と称されて市販されているものを用いるのが好ましい。このシリコーンハードコート剤は、多官能性のシロキサンを主成分とし、シラノール基の脱水縮合反応により、硬い薄膜を形成するものであり、主としてポリカーボネートやアクリル樹脂表面の耐磨耗性の向上のために用いられるものである。かかるシリコーンハードコート剤としては東芝シリコーン株式会社製トスガード５１０（硬化剤として同社製ＰＨ９１）等がある。
【００２０】
光触媒含有層２３は、バインダーとしてシリコーン系化合物等を用い、光触媒微粒子を含有する被膜を形成したものであるが、光触媒としての二酸化チタンは、ルチル型でもよいが、活性の高さからアナターゼ型のものが好ましく、この二酸化チタンに波長領域が３００〜４００ｎｍ付近の紫外光を照射することによって活性化され、その活性化によって強い酸化力が発現されて、表面に付着した汚染物質は分解されると共に、活性化によってその表面は水との接触角でほぼ０〜２０度程度まで親水化され、かかる親水化によって汚染物質は付着しにくくなり、例え付着しても降雨等によって容易に洗い流されるようになる。
【００２１】
【発明の効果】
本発明によれば、光触媒フィルムが可撓性を有する基材を用いて形成されていることで道路標識柱の側面のような曲面に対しても容易に貼着ができ、また透明で接着力が強く且つ屋外においても劣化の少ないアクリル系ポリマーをベースポリマーとした接着層により反射体の外面に貼着できることで、光触媒フィルムは強固に且つ安定して反射体に貼着される。更に光触媒フィルムを貼着するのみで反射体に自浄性を具備させることができ、形成に係わる手間を少なくできると共に、既設のものや施工する現地においても対応が容易である
【図面の簡単な説明】
【図１】本発明が適用される道路標識柱を説明する正面図である。
【図２】本発明に係わる実施の一形態を示す説明図である。
【図３】図２のＡ−Ａ断面図である。
【符号の説明】
１    反射体
２    光触媒フィルム
２１  基材
２２  下塗り層
２３  光触媒含有層
２４  接着層
１０  道路標識柱
Ｐ    ポール部
Ｂ    ベース部
Ａ    アンカーボルト
【図１】
2004285625.tif 000003
【図２】
2004285625.tif 000004
【図３】
2004285625.tif 000005